(57)【要約】【課題】  利用者毎に装置の使用を管理／制限し、且つ番組の録画予約にかかる操作の操作性を向上させた録画装置を提供する。【解決手段】  録画装置１は、指紋読取部１１で読み取った利用者の指紋画像を用いて、利用者を特定し、利用者毎に装置の使用を管理／制限する。録画装置１は、利用者が繰り返し何度も録画予約している番組を自動録画予約の対象の番組に設定し、自動的に録画予約する。したがって、利用者が録画予約にかかる操作を行う必要がなく、利用者における録画予約にかかる操作の操作性を向上させることができる。【選択図】  図１
2005039621.tif 000002
【特許請求の範囲】
【請求項１】
利用者毎に指紋情報を記憶する指紋情報記憶手段と、
指紋画像が入力されたとき、上記指紋情報記憶手段に記憶している指紋情報を用いて指紋画像が入力された利用者を特定する利用者特定手段と、
上記利用者特定手段が特定した利用者から、番組の録画予約にかかる録画予約情報の入力を受け付け、この利用者の録画予約情報として記憶する録画予約情報記憶手段と、
上記録画予約情報記憶手段が記憶している録画予約情報に基づいて、本体にセットされた光ディスクに番組を録画する録画手段と、を備えた録画装置において、
利用者毎に、入力を受け付けた録画予約情報の履歴を管理し、録画予約された回数が予め設定された回数に達した番組については、この利用者の録画予約情報として上記録画予約情報記憶手段に記憶する自動録画予約手段と、
本体にセットされている光ディスクの所定の記録領域から読み取った、この光ディスクの所有者の指紋情報から、この光ディスクの所有者を特定する所有者特定手段と、
上記所有者特定手段が特定した光ディスクの所有者と、上記録画予約情報記憶手段に記憶している録画予約情報に基づいて次に録画する番組の録画予約を行った利用者とが異なる場合、その旨を示すメッセージを出力するメッセージ出力手段と、
上記録画手段が録画予約情報に基づく番組の録画を開始するときに、この録画予約情報の利用者と、上記所有者特定手段が特定した光ディスクの所有者とが異なる場合、番組の録画を禁止する録画禁止手段と、を備えた録画装置。
【請求項２】
利用者毎に指紋情報を記憶する指紋情報記憶手段と、
指紋画像が入力されたとき、上記指紋情報記憶手段に記憶している指紋情報を用いて指紋画像が入力された利用者を特定する利用者特定手段と、
上記利用者特定手段が特定した利用者から、番組の録画予約にかかる録画予約情報の入力を受け付け、この利用者の録画予約情報として記憶する録画予約情報記憶手段と、
上記録画予約情報記憶手段が記憶している録画予約情報に基づいて番組を録画する録画手段と、を備えた録画装置において、
利用者毎に、入力を受け付けた録画予約情報の履歴を管理し、録画予約された回数が予め設定された回数に達した番組については、この利用者の録画予約情報として上記録画予約情報記憶手段に記憶する自動録画予約手段を備えた録画装置。
【請求項３】
上記録画手段は、本体にセットされた光ディスクに番組を録画する手段であり、
本体にセットされている光ディスクの所定の記録領域から読み取った、この光ディスクの所有者を示す所有者情報から、この光ディスクの所有者を特定する所有者特定手段と、
上記所有者特定手段が特定した光ディスクの所有者と、上記録画予約情報記憶手段に記憶している録画予約情報に基づいて次に録画する番組の録画予約を行った利用者とが異なる場合、その旨を示すメッセージを出力するメッセージ出力手段を備えた請求項２に記載の録画装置。
【請求項４】
上記録画手段が録画予約情報に基づく番組の録画を開始するときに、この録画予約情報の利用者と、上記所有者特定手段が特定した光ディスクの所有者とが異なる場合、番組の録画を禁止する録画禁止手段を備えた請求項３に記載の録画装置。
【請求項５】
上記光ディスクには、上記所有者情報として所有者の指紋情報が記録されている請求項３または４に記載の録画装置。
【発明の詳細な説明】
【技術分野】
【０００１】
この発明は、録画予約機能を有する録画装置に関し、特に本体にセットされたＤＶＤ等の光ディスクに番組を録画する録画装置に関する。
【背景技術】
【０００２】
従来、複数人の利用者で共有する映像装置、例えばテレビ、録画装置、において、操作している利用者を特定し、利用者毎に装置の使用を管理／制限することが提案されている。例えば、特許文献１には、受け付けた試聴予約を利用者毎に管理し、他人に試聴予約が取り消されるのを防止する構成が記載されている。また、特許文献２には、利用者毎に番組の購入や番組の購入にかかる費用の決済を行う構成が記載されている。さらに、特許文献３には、利用者毎に操作の履歴を管理し、管理している履歴を加味して装置本体の動作を制御する構成が記載されている。これらの特許文献１〜３においては、指紋により利用者を特定している。
【０００３】
【特許文献１】特開２００３−４６８０３号公報
【特許文献２】特開２０００−２０９４５３号公報
【特許文献３】特開２００１−４５５８０号公報
【発明の開示】
【発明が解決しようとする課題】
【０００４】
しかしながら、上記特許文献１〜３では、番組の録画予約にかかる操作について、利用者の操作性を向上させることについては何も考慮されていなかった。言い換えれば、利用者毎にその使用を管理／制限する装置において、番組の録画予約にかかる利用者の操作性を向上させる装置については、これまで提案されていなかった。
【０００５】
この発明の目的は、利用者毎に装置の使用を管理／制限し、且つ番組の録画予約にかかる操作の操作性を向上させた録画装置を提供することにある。
【課題を解決するための手段】
【０００６】
この発明の録画装置は、上記目的を達成するために以下の構成を備えている。
【０００７】
（１）利用者毎に指紋情報を記憶する指紋情報記憶手段と、
指紋画像が入力されたとき、上記指紋情報記憶手段に記憶している指紋情報を用いて指紋画像が入力された利用者を特定する利用者特定手段と、
上記利用者特定手段が特定した利用者から、番組の録画予約にかかる録画予約情報の入力を受け付け、この利用者の録画予約情報として記憶する録画予約情報記憶手段と、
上記録画予約情報記憶手段が記憶している録画予約情報に基づいて番組を録画する録画手段と、を備えた録画装置において、
利用者毎に、入力を受け付けた録画予約情報の履歴を管理し、録画予約された回数が予め設定された回数に達した番組については、この利用者の録画予約情報として上記録画予約情報記憶手段に記憶する自動録画予約手段を備えている。
【０００８】
この構成では、指紋で利用者を特定し、利用者毎に番組の録画予約にかかる録画予約情報を録画予約情報記憶手段に記憶する。録画手段が、録画予約情報に基づいて番組を録画する。本体には、例えば指紋読取センサで読み取った利用者の指紋画像が入力される。指紋読取装置は、少なくとも本体または、本体を遠隔操作するリモコン装置のいずれか一方に設けておけばよい。
【０００９】
また、自動録画予約手段が、利用者毎に録画予約された番組の履歴を管理し、ある利用者によって録画予約された回数が予め設定された回数に達した番組については、これ以降この利用者の録画予約情報として自動的に録画予約情報記憶手段に記憶する。したがって、ある利用者が、毎日、毎週等定期的に放送されている番組の録画予約を数回（予め設定されている回数）繰り返し行うと、これ以降、この利用者がこの番組について録画予約にかかる操作を行わなくても自動的に録画予約されるので、利用者における番組の録画予約にかかる操作の操作性を向上させることができる。
【００１０】
（２）上記録画手段は、本体にセットされた光ディスクに番組を録画する手段であり、
本体にセットされている光ディスクの所定の記録領域から読み取った、この光ディスクの所有者を示す所有者情報から、この光ディスクの所有者を特定する所有者特定手段と、
上記所有者特定手段が特定した光ディスクの所有者と、上記録画予約情報記憶手段に記憶している録画予約情報に基づいて次に録画する番組の録画予約を行った利用者とが異なる場合、その旨を示すメッセージを出力するメッセージ出力手段を備えている。
【００１１】
この構成では、所有者特定手段が、番組を録画するＤＶＤ等の光ディスクの所定の記録領域から、この光ディスクの所有者を示す所有者情報を読み取り、この光ディスクの所有者を特定する。また、メッセージ出力手段が、本体にセットされている光ディスクの所有者と、次に録画する番組の録画予約情報の利用者と、が異なる場合に、その旨を示すメッセージを出力する。これにより、次に録画される番組の録画予約を行った利用者に対して、本体に自分の光ディスクをセットすることを促すことができ、各利用者に自分が録画予約した番組を自分の光ディスクに録画させることができる。
【００１２】
（３）上記録画手段が録画予約情報に基づく番組の録画を開始するときに、この録画予約情報の利用者と、上記所有者特定手段が特定した光ディスクの所有者とが異なる場合、番組の録画を禁止する録画禁止手段を備えている。
【００１３】
この構成では、録画禁止手段が本体にセットされている光ディスクの所有者と、録画する番組の録画予約情報の利用者と、が異なる場合に、この録画予約情報に基づく番組の録画を禁止する。したがって、他人が録画予約した番組が自分の光ディスクに記録されることがなく、各利用者が自分の光ディスクに自分が録画予約した番組のみ録画できる。
【００１４】
（４）上記光ディスクには、上記所有者情報として所有者の指紋情報が記録されている。
【００１５】
この構成では、光ディスクに所有者の指紋情報を所有者情報として記録した。この場合、指紋情報を暗号化して記録してもよいし、スクランブルをかけて記録すれば、各利用者の指紋情報が他人に知られるのを防止でき、セキュリティの向上が図れる。
【発明の効果】
【００１６】
この発明の録画装置は、ある利用者が、毎日、毎週等定期的に放送されている番組の録画予約を数回（予め設定されている回数）繰り返し行うと、これ以降、この利用者がこの番組について録画予約にかかる操作を行わなくても自動的に録画予約されるので、利用者における番組の録画予約にかかる操作の操作性を向上させることができる。
【発明を実施するための最良の形態】
【００１７】
以下、この発明の実施形態である録画装置について説明する。
【００１８】
図１は、この発明の実施形態である録画装置の構成を示す図である。この実施形態にかかる録画装置１は、本体の動作を制御する制御部２と、放送されている番組を受信するチューナ３と、チューナ３で受信した番組をエンコードするエンコーダ４と、エンコーダ４がエンコードした番組のデータを本体にセットされているＤＶＤ２０に記録するとともに、ＤＶＤ２０に記録されているデータを読み取る記録／読取部５と、記録／読取部５がＤＶＤ２０から読み取ったデータをデコードするデコーダ６と、デコーダ６がデコードしたデータに基づく再生映像信号、および再生音声信号（以下、総称して再生信号という。）を生成し、出力する再生部７と、利用者毎に指紋情報を記憶する指紋情報記憶部８と、利用者毎に録画予約情報を記憶する録画予約情報記憶部９と、利用者毎に受け付けた録画予約情報の履歴を記憶する履歴記憶部１０と、利用者の指紋を読み取る指紋読取部１１と、本体に対する入力操作を受け付ける操作部１２と、リモコン装置１５から送信されてきた入力コマンド等を受信するリモコン受信部１３と、インタネット上のサーバから情報を取得する通信部１４と、を備えている。
【００１９】
制御部２には、現在時刻を計時するタイマが設けられている。このタイマは、カレンダ機能を有している。記録／読取部５は、ＤＶＤ２０にレーザ光を照射し、その反射光を検出する周知のピックアップヘッド等を備えている。再生部７から出力される再生信号は、テレビ受像機等に入力され、このテレビ受像機等において映像、音声が出力される。指紋情報記憶部８に記憶されている指紋情報は、指紋読取部１１で読み取った指紋の画像データであってもよいし、この指紋の画像データから抽出した特徴量であってもよい。録画予約情報記憶部９は、各録画予約情報に利用者を対応づけて記憶している（図２参照）。ここでは、録画予約情報記憶部９は、１週間分の録画予約情報を記憶する場合を例にしているが、この期間は１０日や１カ月等であってもよい。図２において、枠で囲まれている部分がすでに録画予約されている時間帯であり、枠内に示している「−」の前のＡ、Ｂ、Ｃが録画予約した利用者の名前、「−」の後ろの数字がチャンネルである。
【００２０】
また、履歴記憶部１０には、利用者毎に図３に示す録画予約／予約の取消にかかる操作履歴を示す履歴情報が記憶されている。図３は、利用者Ａにかかる履歴情報を示している。この履歴情報は、該当する利用者（図３では利用者Ａ）が録画予約を行った番組毎に、その番組名、録画予約、予約の取消にかかる操作履歴、および自動録画予約の対象番組であるかどうかを示す自動録画予約フラグを対応づけて記憶している。録画予約、予約の取消にかかる操作履歴は時系列に記憶されている。ここでは、自動録画予約フラグが１である番組が、自動録画予約の対象番組である。
【００２１】
なお、詳細については後述するが、この実施形態の録画装置１は、同じ利用者が予め定められた第１の設定回数、例えば２回、録画予約を行った番組を自動録画予約の対象番組とする。但し、この番組について過去に録画予約の取消にかかる操作が行われていた場合、第１の設定回数よりも多い第２の設定回数、例えば５回、録画予約が行われたときに、この番組を自動録画予約の対象番組とする。
【００２２】
指紋読取部１１は、周知の指紋読取センサを有し、このセンサの表面に載せられた指の指紋画像を読み取るものである。通信部１４では電話回線網を介してインタネット上のサーバ装置（不図示）にアクセスし、ＥＰＧ（電子プログラムガイド）を取得する。また、リモコン装置１５にも指紋読取センサ１５ａが設けられている。リモコン装置１５には、指紋読取センサ１５ａで読み取った利用者の指紋画像を録画装置１本体に送信する際に操作するキーが設けられている。リモコン装置１５は、赤外線または電波で操作されたキーに応じたコマンド、上記指紋センサ１５ａで読み取った指紋画像等を録画装置１に送信する。
【００２３】
以下、この発明の実施形態である録画装置１の動作について説明する。
【００２４】
図４は、この発明の実施形態である録画装置の動作を示すフローチャートである。利用者は、本体に設けられた操作部１２、またはリモコン装置１５において、録画装置１に対する入力操作を行う。録画装置１は、利用者の登録要求があると、利用者登録処理を実行する（ｓ１、ｓ２）。また、録画予約要求があると、録画予約受付処理を実行する（ｓ３、ｓ４）。また、録画予約取消要求があると、録画予約取消処理を実行する（ｓ５、ｓ６）。また、録画予約されている番組の録画開始時刻になると、予約録画処理を実行する（ｓ７、ｓ８）。また、予め定められているタイミング（この実施形態では、日付がかわる午前０時００分とする。）になると、自動録画予約設定処理を実行する（ｓ９、ｓ１０）。さらに、再生要求が入力されると、再生処理を実行する（ｓ１１、ｓ１２）。
【００２５】
なお、上記利用者の登録要求、録画予約要求、録画予約取消要求、再生要求以外の要求、例えばタイマの時刻合わせの要求、が入力されたとき、入力された要求に応じた処理（その他の処理）を実行する（ｓ１３、ｓ１４）。
【００２６】
次に、ｓ２にかかる利用者登録処理について説明する。図５は、利用者登録処理を示すフローチャートである。録画装置１は、新規に登録する利用者の指紋画像が入力されるのを待つ（ｓ２１）。指紋画像の入力は、本体に設けられた指紋読取部１１に指を載せる、またはリモコン装置１５に設けられた指紋読取部１５ａに指を載せて指紋を読み取らせた後に予め定められている指紋画像送信キーを操作することにより行える。録画装置１は、本体に指紋画像が入力されると、次に利用者の名前が入力されるのを待つ（ｓ２２）。ここで言う、利用者の名前とは図２で示したＡ、Ｂ、Ｃに相当するものであり、利用者が任意の名前を入力することができる。録画装置１は、利用者の名前が入力されると、ｓ２１で入力された指紋画像に基づく指紋情報と、ｓ２２で入力された利用者の名前と、を対応づけて指紋情報記憶部８に記憶し（ｓ２３）、本処理を終了する。
【００２７】
なお、ここでは指紋情報記憶部８に記憶する指紋情報は、入力された指紋画像であってもよいが、この指紋画像を処理して抽出した特徴量にすることで、指紋情報記憶部８に必要な記憶容量を低減することができる。
【００２８】
次に、ｓ４にかかる録画予約受付処理について説明する。図６は、録画予約受付処理を示すフローチャートである。録画装置１は、録画予約を行う利用者の指紋画像が入力されるのを待つ（ｓ３１）。指紋画像の入力にかかる操作は、上記利用者登録処理と同じである。録画装置１は、指紋画像が入力されると、入力された指紋画像を、指紋情報記憶部８に記憶している利用者の指紋情報と照合し、利用者を特定する（ｓ３２、ｓ３３）。
【００２９】
録画装置１は、ｓ３２で今回指紋画像が入力された者が利用者でない（指紋情報記憶部８に指紋情報が記憶されていない）と判定すると、この録画予約受付処理を中止し、本処理を終了する。このように、録画装置１は、指紋情報記憶部８に指紋情報が記憶されていない者による録画予約を受け付けない。言い換えれば、利用者は録画装置１に対して、まず上記図５に示した利用者登録処理を行う必要がある。
【００３０】
このｓ３２、ｓ３３にかかる処理は、指紋情報記憶部８に指紋情報が記憶されている利用者毎に、入力された指紋画像を照合する全照合方式で行ってもよいし、操作者に利用者を特定するためのコード（例えば利用者の名前）を入力させて、入力により特定した利用者の指紋情報とのみ照合する個別照合方式で行ってもよい。
【００３１】
なお、ｓ３２で今回指紋画像が入力された者が利用者でないと判定した場合、上記図５に示した利用者登録処理に移行するようにしてもよい。
【００３２】
録画装置１は、ｓ３３で指紋画像が入力された利用者を特定すると、録画予約情報が入力されるのを待つ（ｓ３４）。録画予約情報の入力は、録画開始時刻、録画終了時刻、録画するチャンネルの入力であてもよいし、周知のＧコードの入力であってもよいし、さらには録画装置１にＥＰＧの取得を指示し、取得させたＥＰＧ上での番組の指定による入力であってもよい。上述したように、録画装置１は、通信部１４においてインタネット上のサーバ装置からＥＰＧを取得することができる。
【００３３】
録画装置１は、録画予約情報が入力されると、今回入力された録画予約情報がすでに録画予約されている時間帯に重なるかどうかを判定し（ｓ３５）、重なっている場合に録画予約できない旨のメッセージを出力して本処理を終了する（ｓ３６）。ｓ３６にかかるメッセージは、本体に設けられた図示していない表示部に表示してもよいし、本体に接続されているテレビ受像機の画面上にＯＳＤ表示してもよい。
【００３４】
録画装置１は、ｓ３５で重なっていないと判定すると、今回入力された録画予約情報を録画予約情報記憶部９に記憶する（ｓ３７）。ｓ３７では、録画予約情報に今回録画予約を行った利用者を対応づけて記憶する。録画装置１は、ｓ３７で今回入力された録画予約情報を録画予約情報記憶部９に記憶すると、今回録画予約を行った利用者について履歴記憶部１０に記憶している履歴情報の更新を行い（ｓ３８）、本処理を終了する。
【００３５】
ここで、ｓ３８にかかる履歴情報の更新かかる処理について説明する。図７は、履歴情報の更新かかる処理を示すフローチャートである。録画装置１は、通信部１４においてインタネット上のサーバ装置からＥＰＧを取得し、今回録画予約された番組の番組名を取得する（ｓ４１）。録画装置１は、ｓ４１で番組名を取得すると、今回録画予約を行った利用者履歴情報の中に、該当する番組名が記憶されているかどうかを判定し（ｓ４２）、記憶されていないければ、ｓ４１で取得した番組名、予約（操作履歴）、自動録画予約フラグを０としたレコードを登録する（ｓ４３）。一方、録画装置１はｓ４２で該当する番組名が記憶されていると、その番組名に対応づけられた操作履歴に予約を追加し（ｓ４４）、この番組に対応する自動録画予約フラグが０であるか、１であるかを判定する（ｓ４５）。ｓ４５では、今回録画予約された番組が自動録画予約の対象の番組であるかどうかを確認している。
【００３６】
なお、自動録画予約フラグが１である場合、後述する自動録画予約設定処理により、すでに録画予約されているので、上記ｓ３５で時間帯が重なると判定され、この図７に示す処理が行われることはないが、なんらかの理由で自動録画予約フラグが１となっている場合を考慮し、このステップを実行している。すなわち、ｓ４５では通常自動録画予約フラグは０である。
【００３７】
録画装置１は、ｓ４５で自動録画予約フラグが１であると判定すると、本処理を終了する。一方、録画装置１はｓ４５で自動録画予約フラグが０であると判定すると、今回の録画予約により自動録画予約の番組になったかどうかを判定する（ｓ４６）。ｓ４６では、今回録画予約された番組の操作履歴において、予約の取消にかかる操作履歴があるかどうかを判定し、予約の取消にかかる操作履歴がなければ、録画予約された回数が予め設定された第１の設定回数（例えば、２回）に達したかどうかを判定する。ここで、第１の設定回数に達したと判定すると、今回の録画予約により自動録画予約の番組になったと判断する。また、予約の取消にかかる操作履歴があった場合、最後に予約の取消が行われてから、録画予約された回数が予め設定された第２の設定回数（例えば、５回）に達したかどうかを判定する。第２の設定回数は、第１の設定回数よりも大きい値である。ここで、第２の設定回数に達したと判定すると、今回の録画予約により自動録画予約の番組になったと判断する。録画装置１は、ｓ４６で今回の録画予約により自動録画予約の対象の番組になったと判定すると、この番組に対応づけられている自動録画予約対応フラグを１に変更し、本処理を終了する（ｓ４７）。
【００３８】
なお、自動録画予約の番組については、利用者が録画予約にかかる操作を行わなくても、後述する自動録画予約処理により自動的に録画予約される。
【００３９】
次に、録画予約取消処理について説明する。図８は録画予約取消処理を示すフローチャートである。録画装置１は、利用者の指紋画像が入力されるのを待つ（ｓ５１）。指紋画像の入力にかかる操作は、上記利用者登録処理、録画予約処理と同じである。録画装置１は、指紋画像が入力されると、入力された指紋画像を指紋情報記憶部８に記憶している利用者の指紋画像と照合し、利用者を特定する（ｓ５２、ｓ５３）。ｓ５２、ｓ５３にかかる処理は、上記ｓ３２、ｓ３３にかかる処理と同じ処理である。録画装置１は、ｓ５２で今回指紋画像が入力された操作者が利用者でない（指紋情報記憶部８に指紋情報が記憶されていない）と判定すると、この録画予約取消処理を中止し、本処理を終了する。このように、録画装置１は、指紋情報記憶部８に指紋情報が記憶されていない者による録画予約の取消を受け付けない。
【００４０】
なお、指紋情報記憶部８に指紋情報が記憶されていない者は、上記録画予約処理による番組の録画予約が行えないので、この者が録画予約の取消を行えなくても何ら問題は生じない。
【００４１】
録画装置１は、ｓ５３で利用者を特定すると、録画予約情報記憶部９に記憶しているこの利用者の録画予約情報を本体に接続されているテレビ受像機の画面上にＯＳＤ表示し、取り消す録画予約の選択を受け付ける（ｓ５４）。ｓ５４では、ｓ５３で特定した利用者以外の利用者の録画予約情報についてはＯＳＤ表示しないので、他人の録画予約情報が選択されることはない。すなわち、利用者は自分の録画予約情報については取り消すことができるが、他人の録画予約情報については取り消すことができない。言い換えれば、各利用者は自分の録画予約情報が他人に勝手に取り消されることがない。録画装置１は、録画予約情報記憶部９においてｓ５４で選択された録画予約情報を削除する（ｓ５５）。そして、履歴記憶部１０において今回録画予約情報を削除した番組の操作履歴に取消を追加し（ｓ５６）、この番組の自動録画予約対応フラグが１であれば０に変更し（ｓ５７、ｓ５８）、本処理を終了する。
【００４２】
このように、録画装置１は、録画予約が取り消された番組が自動録画予約の番組であれば、この番組を自動録画予約の番組でない設定に変更する。
【００４３】
ここで、録画装置１にＤＶＤ２０がセットされたときの処理について説明しておく。図９はＤＶＤがセットされたときの動作を示すフローチャートである。録画装置１は、本体にＤＶＤ２０がセットされると、セットされたＤＶＤ２０が記録型のＤＶＤ２０（ＤＶＤ−Ｒ／ＲＷ等）であるかどうかを判定する（ｓ６１）。録画装置１は、記録型でないと判定すると、本処理を終了する。一方、記録型であると判定すると、このＤＶＤ２０の所定の記録領域に記録されている所有者情報を読み出す（ｓ６２）。この所有者情報は、ＤＶＤ２０の所有者を示す情報であり、例えば所有者の指紋情報、または所有者の名前を示す情報である。録画装置１は、本体にセットされたＤＶＤ２０に所有者情報が記録されていなければ、すなわちｓ６２でＤＶＤ２０から所有者情報が読み出せなければ、このＤＶＤ２０に所有者情報を記録する（ｓ６３、ｓ６４）。ｓ６４では、入力を受け付けた操作者の指紋画像、操作者の名前等に基づいて所有者情報を生成し、これを本体にセットされているＤＶＤ２０の所定の記録領域に記録する。
【００４４】
ＤＶＤ２０に記録する所有者情報を、所有者の指紋情報とする場合、この指紋情報を暗号化したり、スクランブルをかけてＤＶＤ２０に記録してもよい。録画装置１は、ｓ６３で読み出した所有者情報、またはｓ６４でＤＶＤ２０に所有者情報を記録する際に、入力を受け付けた指紋情報から、本体にセットされたＤＶＤ２０の所有者を特定し（ｓ６５）、本処理を終了する。
【００４５】
このように、録画装置１は、記録型のＤＶＤ２０がセットされているとき、このＤＶＤ２０の所有者を認識している。
【００４６】
次に、ｓ８にかかる予約録画処理について説明する。図１０は、予約録画処理を示すフローチャートである。録画装置１は、これから録画する番組の録画予約情報の利用者と、本体にセットされているＤＶＤ２０の所有者と、が同一であるかどうかを判定し（ｓ７１）、同一でなければ今回の録画予約情報に基づく番組の録画を中止し（ｓ７２）、本処理を終了する。したがって、各利用者は自分のＤＶＤ２０に他の利用者が予約録画した番組が録画されることがない。
【００４７】
録画装置１は、ｓ７１で同一人物であると判定すると、予約録画情報に基づく番組の録画開始する（ｓ７３）。その後、録画終了時刻になると（ｓ７４）、番組の録画を停止する（ｓ７５）。上記ｓ７３〜ｓ７５の処理については、周知の録画処理であるので、ここでは説明を省略する。録画装置１は、今回の録画予約情報に基づく番組の録画を終了すると、録画予約情報記憶部９に記憶している、次にこの予約録画処理の対象となる録画予約情報の利用者と、本体にセットされているＤＶＤ２０の所有者とが同一人物であるかどうかを判定し（ｓ７６）、同一人物でなければＤＶＤ２０の交換を促すメッセージを出力して本処理を終了する（ｓ７７）。ｓ７７で出力されたメッセージは、録画装置１の図示していない表示部や、接続されているテレビ受像機にＯＳＤ表示される。また、このメッセージは、次にこの予約録画処理の対象となる録画予約情報の利用者が所有者であるＤＶＤ２０が本体にセットされるまで、継続して表示される。このメッセージに、次に録画する番組の録画予約情報の利用者の名前を含ませておけば、当該利用者に対して確実にＤＶＤ２０の交換を促すことができる。
【００４８】
このメッセージにより、各利用者が上記ｓ７２で録画予約した番組の録画が中止されるのを防止することができる。
【００４９】
次に、ｓ１０にかかる自動録画予約設定処理について説明する。図１１は、この自動録画予約設定処理を示すフローチャートである。録画装置１は、午前０時００分になると、本処理を実行する。録画装置１は、履歴記憶部１０から利用者毎に自動録画予約フラグが１であり、且つ昨日の曜日に放送される番組を抽出する（ｓ８１）。録画装置８１は、利用者毎にｓ８１で抽出した番組の録画予約情報を録画予約情報記憶部９に記憶し（ｓ８２）、本処理を終了する。
【００５０】
上記ｓ８１で抽出される番組は、利用者が予め設定された第１の回数、または録画予約を取り消した後に第２の回数だけ繰り返し録画予約した番組である。このように、利用者が何度も繰り返し録画予約を行っている番組は、この利用者が継続的に試聴する番組であると考えられる。したがって、録画装置１において、このような番組を上記自動録画予約設定処理により自動的に録画予約しても、何ら問題はなく、反対に利用者が録画予約にかかる操作を行わなくてもよいので、利用者における録画予約にかかる操作の操作性を向上させることができる。
【００５１】
次に、ｓ１２にかかる再生処理について説明する。図１２は、この再生処理を示すフローチャートである。録画装置１は、本体にセットされているＤＶＤ２０が記録型であるかどうかを判定し（ｓ９１）、記録型でなければ再生を開始する（ｓ９５）。録画装置１は、ｓ９１で記録型であると判定すると、利用者の指紋画像が入力されるのを待つ（ｓ９２）。指紋画像の入力にかかる操作は、上記利用者登録処理、録画予約処理等と同じである。録画装置１は、指紋画像が入力されると、入力された指紋画像で特定される利用者と、ＤＶＤ２０の所有者とが同一であるかどうかを判定する（ｓ９３）。ここで同一でないと判定すると、この再生処理を中止し（ｓ９４）、本処理を終了する。反対に同一であると判定すると、ｓ９５でＤＶＤ２０の再生を開始する。
【００５２】
なお、ｓ９５で開始されたＤＶＤ２０の再生については、利用者による再生終了の入力操作等により、再生終了のタイミングであると判定されたときに、再生を停止し、本処理を終了する（ｓ９６、ｓ９７）。
【００５３】
したがって、この録画装置１では、他の利用者に自分のＤＶＤ２０に録画した番組が勝手に再生されることがないので、利用者のプライバシーも確保できる。
【図面の簡単な説明】
【００５４】
【図１】この発明の実施形態である録画装置の構成を示す図である。
【図２】録画予約情報記憶部の記憶内容を説明する図である。
【図３】履歴記憶部の記憶内容を説明する図である。
【図４】この発明の実施形態である録画装置の動作を示すフローチャートである。
【図５】利用者登録処理を示すフローチャートである。
【図６】録画予約受付処理を示すフローチャートである。
【図７】履歴情報の更新かかる処理を示すフローチャートである。
【図８】録画予約取消処理を示すフローチャートである。
【図９】ＤＶＤがセットされたときの動作を示すフローチャートである。
【図１０】録画予約処理を示すフローチャートである。
【図１１】自動録画予約設定処理を示すフローチャートである。
【図１２】再生処理を示すフローチャートである。
【符号の説明】
【００５５】
１−録画装置
２−制御部
８−指紋情報記憶部
９−録画予約情報記憶部
１０−履歴記憶部
１１、１５ａ−指紋読取部
１５−リモコン装置
２０−ＤＶＤ
【図１】
2005039621.tif 000003
【図２】
2005039621.tif 000004
【図３】
2005039621.tif 000005
【図４】
2005039621.tif 000006
【図５】
2005039621.tif 000007
【図６】
2005039621.tif 000008
【図７】
2005039621.tif 000009
【図８】
2005039621.tif 000010
【図９】
2005039621.tif 000011
【図１０】
2005039621.tif 000012
【図１１】
2005039621.tif 000013
【図１２】
2005039621.tif 000014